(57)【要約】【課題】従来のクイックスキャンやフルスキャンでは、短時間に正確なサービスリストを構築することができない。【解決手段】選局指示を受けた一つの周波数で送出されるＴＳに重畳された情報で、ＴＳ識別子と、ＴＳ識別子を有するＴＳが選局指示を受けた周波数で送出されるＴＳであるかを表す選局周波数識別子とを一つの組として構成する第一の情報と、ＴＳ識別子とＴＳ識別子を有するＴＳが送出される周波数とを一つの組として構成する第二の情報とを受信する選局部１１と、選局周波数識別子からＴＳ識別子を有するＴＳが送出される周波数が受信可能であるかの受信確度を判定するとともに、第一の情報および第二の情報のＴＳ識別子から、周波数と受信確度とを一つの組として構成するサービスリストを構築するサービスリスト構築部１２と、からなるサービスリスト構築装置１００。【選択図】図２
2011239112.tif 000002
【特許請求の範囲】
【請求項１】
選局指示を受けた一つの周波数を選局し、
前記選局した周波数で送出されるトランスポートストリーム（ＴＳ）に重畳された情報で、
ＴＳを識別するためのＴＳ識別子と、前記ＴＳ識別子を有するＴＳが前記選局指示を受けた周波数で送出されるＴＳであるかを表す選局周波数識別子とを一つの組として構成する第一の情報と、
前記ＴＳ識別子と前記ＴＳ識別子を有するＴＳが送出される周波数とを一つの組として構成する第二の情報と
を受信する選局部と、
前記選局周波数識別子から前記ＴＳ識別子を有するＴＳが送出される周波数が受信可能であるかの受信確度を判定するとともに、
前記第一の情報および前記第二の情報の前記ＴＳ識別子から、前記周波数と前記受信確度とを一つの組として構成するサービスリストを構築するサービスリスト構築部と、
からなるサービスリスト構築装置。
【請求項２】
前記選局部は、
前記サービスリストの中から前記受信確度が受信可否不明である周波数の選局指示を受け、
前記サービスリスト構築部は、
前記受信確度が受信可否不明である周波数の選局指示による受信結果に基づき、前記サービスリストを再構築する
ことを特徴とする請求項１記載のサービスリスト構築装置。
【請求項３】
前記サービスリスト構築部は、
前記受信確度が受信可否不明である周波数が受信可能である場合、前記サービスリストにおいて、前記受信可能である周波数の受信確度を更新する
ことを特徴とする請求項２記載のサービスリスト構築装置。
【請求項４】
前記第一の情報は、前記ＴＳ識別子と、前記選局周波数識別子と、サービスを識別するためのサービスＩＤとを一つの組として構成され、
前記サービスリスト構築部は、
前記受信確度が受信可否不明である周波数が受信可能である場合、前記サービスリストにおいて、前記受信可能である周波数の受信確度を前記サービスＩＤ毎に更新する
ことを特徴とする請求項３記載のサービスリスト構築装置。
【請求項５】
前記サービスリスト構築部は、
前記受信確度が受信可否不明である周波数が受信不可能である場合、前記受信不可能である周波数を含む組を前記サービスリストから削除するまたは、前記サービスリストにおいて、前記受信不可能である周波数の受信確度を受信不可に更新する
ことを特徴とする請求項２記載のサービスリスト構築装置。
【請求項６】
前記サービスリスト構築部は、
スタンバイ状態において、前記受信確度が受信可否不明である周波数を前記選局部に選局指示する
ことを特徴とする請求項２記載のサービスリスト構築装置。
【請求項７】
前記サービスリスト構築部は、
前記受信確度が受信可否不明である周波数が受信可能である場合、新たに受信した前記第一の情報と前記第二の情報とから、受信確度が受信可否不明であると新たに判定した周波数を含む組を前記サービスリストに追加する
ことを特徴とする請求項２記載のサービスリスト構築装置。
【請求項８】
前記サービスリスト構築部は、
前記受信確度が受信可否不明であると新たに判定した周波数を含む組が前記サービスリストに既に存在する場合、前記受信確度が受信可否不明であると新たに判定した周波数を含む組を前記サービスリストに追加しない
ことを特徴とする請求項７記載のサービスリスト構築装置。
【請求項９】
選局指示を受けた一つの周波数を選局し、
前記選局した周波数で送出されるトランスポートストリーム（ＴＳ）に重畳された情報で、
ＴＳを識別するためのＴＳ識別子と、前記ＴＳ識別子を有するＴＳが前記選局指示を受けた周波数で送出されるＴＳであるかを表す選局周波数識別子とを一つの組として構成する第一の情報と、
前記ＴＳ識別子と前記ＴＳ識別子を有するＴＳが送出される周波数とを一つの組として構成する第二の情報と
を受信する受信ステップと、
前記選局周波数識別子から前記ＴＳ識別子を有するＴＳが送出される周波数が受信可能であるかの受信確度を判定するとともに、
前記第一の情報および前記第二の情報の前記ＴＳ識別子から、前記周波数と前記受信確度とを一つの組として構成するサービスリストを構築するサービスリスト構築ステップと、
からなるサービスリスト構築方法。
【請求項１０】
前記受信ステップは、
前記サービスリストの中から前記受信確度が受信可否不明である周波数の選局指示を受け、
前記サービスリスト構築ステップは、
前記受信確度が受信可否不明である周波数の選局指示による受信結果に基づき、前記サービスリストを再構築する
ことを特徴とする請求項９記載のサービスリスト構築方法。
【請求項１１】
前記サービスリスト構築ステップは、
前記受信確度が受信可否不明である周波数が受信可能である場合、前記サービスリストにおいて、前記受信可能である周波数の受信確度を更新する
ことを特徴とする請求項１０記載のサービスリスト構築装置。
【請求項１２】
前記第一の情報は、前記ＴＳ識別子と、前記選局周波数識別子と、サービスを識別するためのサービスＩＤとを一つの組として構成され、
前記サービスリスト構築ステップは、
前記受信確度が受信可否不明である周波数が受信可能である場合、前記サービスリストにおいて、前記受信可能である周波数の受信確度を前記サービスＩＤ毎に更新する
ことを特徴とする請求項１１記載のサービスリスト構築方法。
【請求項１３】
前記サービスリスト構築ステップは、
前記受信確度が受信可否不明である周波数が受信不可能である場合、前記受信不可能である周波数を含む組を前記サービスリストから削除するまたは、前記サービスリストにおいて前記受信不可能である周波数の受信確度を受信不可に更新する
ことを特徴とする請求項１０記載のサービスリスト構築方法。
【請求項１４】
前記受信ステップは、
スタンバイ状態において、前記受信確度が受信可否不明である周波数の選局指示を受ける
ことを特徴とする請求項１０記載のサービスリスト構築方法。
【請求項１５】
前記サービスリスト構築ステップは、
前記受信確度が受信可否不明である周波数が受信可能である場合、新たに受信した前記第一の情報と前記第二の情報とから、受信確度が受信可否不明であると新たに判定した周波数を含む組を前記サービスリストに追加する
ことを特徴とする請求項１０記載のサービスリスト構築方法。
【請求項１６】
前記サービスリスト構築ステップは、
前記受信確度が受信可否不明であると新たに判定した周波数を含む組が前記サービスリストに既に存在する場合、前記受信確度が受信可否不明であると新たに判定した周波数を含む組を前記サービスリストに追加しない
ことを特徴とする請求項１５記載のサービスリスト構築方法。
【発明の詳細な説明】
【技術分野】
【０００１】
本発明は、デジタル放送などの放送サービスの選局に用いられるサービスリストの構築を行なう技術に関するものである。
【背景技術】
【０００２】
デジタル放送などの放送サービス（単にサービスと表現する場合もある）の選局に用いられる情報として、サービスリストがある。サービスリストは、受信可能周波数テーブルのことで、サービス識別子やサービスタイプ、周波数情報などから構成され、チャンネルスキャンにより放送受信機内部に構築される。
【０００３】
現在、サービスリストを放送受信機内部に構築する手段としてクイックスキャンと呼ばれる技術がある。
【０００４】
放送局は、自身が保守、管理している視聴可能なすべてのサービス情報（周波数やネットワークＩＤなど）をある特定の周波数のＴＳ（Ｔｒａｎｓｐｏｒｔ  Ｓｔｒｅａｍ）にＳＩ（Ｓｅｒｖｉｃｅ  Ｉｎｆｏｒｍａｔｉｏｎ）情報として重畳し、放送受信機に向けて送出している。この視聴可能なすべてのサービス情報を含むＳＩ情報が重畳されたＴＳが送出されるある特定の周波数をホームチャンネルと呼ぶ。放送受信機はこのホームチャンネルと呼ばれる周波数をプリセット値として保持しておくことで、初期スキャン時にその周波数へ選局し、該ＳＩ情報が重畳されたＴＳを取得する。このＴＳから取得したＳＩ情報にサービスリスト構築に必要なサービス情報が重畳されている。放送受信機は、このサービス情報を利用することで、短時間に信頼性の高いサービスリストを放送受信機内に構築することが可能となっている。ここで、信頼性が高いとは、例えば、ユーザーがサービスリストに存在する放送サービスを選択すると、ユーザーは選択した放送サービスを視聴することができるということを意味する。また、初期スキャン後に放送サービスの追加や削除が行われた場合であっても、放送受信機のスタンバイ（待機状態、チャンネルスキャンを実施するために必要な機能ブロック、例えばチューナーなど、の電源のみを投入した状態をいう）中に、再度クイックスキャンを実施することで、初期スキャン時同様、短時間に信頼性の高いサービスリストを放送受信機内に構築することが可能である。
【０００５】
一方、クイックスキャンとは別に、フルスキャンと呼ばれる技術がある。フルスキャンとは、初期スキャン時に、実際にすべての周波数を選局、受信確認し、サービスリストを構築する技術である。放送受信機は初期スキャン時にフルスキャンを実施することで、信頼性の高いサービスリストを放送受信機内に構築することが可能である。また、クイックスキャン同様、初期スキャン後に放送サービスの追加や削除が行われた場合であっても、放送受信機のスタンバイ中に、再度フルスキャンを実施することで、信頼性の高いサービスリストを放送受信機内に構築することが可能である（特許文献１）。
【先行技術文献】
【特許文献】
【０００６】
【特許文献１】特開２００５−２７７９９７号公報
【発明の概要】
【発明が解決しようとする課題】
【０００７】
ところが、近年、放送サービスの増加に伴い、正しく保守、管理されていないサービス情報がＳＩ情報としてＴＳに重畳される放送システムが多くなっている。放送受信機は、このような放送システムにおいて初期スキャン時にクイックスキャンを適用すると、信頼性の低いサービスリストを構築してしまうことになる。ここで、信頼性が低いとは、例えば、ユーザーがサービスリストに存在する放送サービスを選択し、放送受信機がその放送サービスへ選局しても放送が行なわれておらず、ユーザーは選択した放送サービスを視聴できない場合があることを意味し、選択した放送サービスを視聴できないユーザーに不快感を与えることになる。これは、クイックスキャンにより受信したＴＳに重畳されているＳＩ情報に正しく保守、管理されていない間違ったサービス情報が含まれていることに起因する。
【０００８】
また、クイックスキャンは、サービスリストの信頼性が高いことを前提としているため、間違ったサービス情報によって構築されたサービスリストを訂正する手段を持たない。これによって、視聴不可能な放送サービスがサービスリスト上に存在し、他の視聴可能なサービスと区別がつかないなど、ユーザーには不便を強いることとなる。
【０００９】
スタンバイ時にクイックスキャンを適用する場合も同様である。
【００１０】
一方、フルスキャンにおいては、初期スキャン時に実際にすべての周波数を選局、受信確認するため、例えＴＳに重畳されているサービス情報が正しく保守、管理されていない場合であっても信頼性の高いサービスリストを構築することが可能であるが、放送サービスを視聴開始可能となるまで時間がかかるので、特に多数の放送サービスが行われる放送システムにおいて、ユーザーに不快感を与えることになる。
【００１１】
スタンバイ時にフルスキャンを適用する場合も同様である。
【課題を解決するための手段】
【００１２】
本発明のサービスリスト構築装置は、選局指示を受けた一つの周波数を選局し、前記選局した周波数で送出されるトランスポートストリーム（ＴＳ）に重畳された情報で、ＴＳを識別するためのＴＳ識別子と、前記ＴＳ識別子を有するＴＳが前記選局指示を受けた周波数で送出されるＴＳであるかを表す選局周波数識別子とを一つの組として構成する第一の情報と、前記ＴＳ識別子と前記ＴＳ識別子を有するＴＳが送出される周波数とを一つの組として構成する第二の情報とを受信する選局部と、前記選局周波数識別子から前記ＴＳ識別子を有するＴＳが送出される周波数が受信可能であるかの受信確度を判定するとともに、前記第一の情報および前記第二の情報の前記ＴＳ識別子から、前記周波数と前記受信確度とを一つの組として構成するサービスリストを構築するサービスリスト構築部と、からなる。
【００１３】
また、本発明のサービスリスト構築方法は、選局指示を受けた一つの周波数を選局し、
前記選局した周波数で送出されるトランスポートストリーム（ＴＳ）に重畳された情報で、ＴＳを識別するためのＴＳ識別子と、前記ＴＳ識別子を有するＴＳが前記選局指示を受けた周波数で送出されるＴＳであるかを表す選局周波数識別子とを一つの組として構成する第一の情報と、前記ＴＳ識別子と前記ＴＳ識別子を有するＴＳが送出される周波数とを一つの組として構成する第二の情報とを受信する受信ステップと、前記選局周波数識別子から前記ＴＳ識別子を有するＴＳが送出される周波数が受信可能であるかの受信確度を判定するとともに、前記第一の情報および前記第二の情報の前記ＴＳ識別子から、前記周波数と前記受信確度とを一つの組として構成するサービスリストを構築するサービスリスト構築ステップと、からなる。
【００１４】
本発明のサービスリスト構築装置、サービスリスト構築方法によれば、選局した１つの周波数で送出されるＴＳに重畳された情報に基づき、重畳された情報から得られるＴＳ識別子を有するＴＳが送出される周波数が受信可能であるかの受信確度を判定するとともに、該ＴＳ識別子を有するＴＳが送出される周波数と該周波数の受信確度を一つの組として構成するサービスリストを構築するので、短時間に、視聴の可否が明確なサービスリストを構築することができ、ユーザーに与える不快感、不便感を軽減することが可能となる。
【００１５】
本発明のサービスリスト構築装置における前記選局部は、前記サービスリストの中から前記受信確度が受信可否不明である周波数の選局指示を受け、前記サービスリスト構築部は、前記受信確度が受信可否不明である周波数の選局指示による受信結果に基づき、前記サービスリストを再構築することを特徴とする。
【００１６】
また、本発明のサービスリスト構築方法における前記受信ステップは、前記サービスリストの中から前記受信確度が受信可否不明である周波数の選局指示を受け、前記サービスリスト構築ステップは、前記受信確度が受信可否不明である周波数の選局指示による受信結果に基づき、前記サービスリストを再構築することを特徴とする。
【００１７】
また、本発明のサービスリスト構築装置における前記サービスリスト構築部は、前記受信確度が受信可否不明である周波数が受信可能である場合、前記サービスリストにおいて、前記受信可能である周波数の受信確度を更新することを特徴とする。
【００１８】
また、本発明のサービスリスト構築方法における前記サービスリスト構築ステップは、前記受信確度が受信可否不明である周波数が受信可能である場合、前記サービスリストにおいて、前記受信可能である周波数の受信確度を更新することを特徴とする。
【００１９】
また、本発明のサービスリスト構築装置における前記第一の情報は、前記ＴＳ識別子と、前記選局周波数識別子と、サービスを識別するためのサービスＩＤとを一つの組として構成され、前記サービスリスト構築部は、前記受信確度が受信可否不明である周波数が受信可能である場合、前記サービスリストにおいて、前記受信可能である周波数の受信確度を前記サービスＩＤ毎に更新することを特徴とする。
【００２０】
また、本発明のサービスリスト構築方法における前記第一の情報は、前記ＴＳ識別子と、前記選局周波数識別子と、サービスを識別するためのサービスＩＤとを一つの組として構成され、前記サービスリスト構築ステップは、前記受信確度が受信可否不明である周波数が受信可能である場合、前記サービスリストにおいて、前記受信可能である周波数の受信確度を前記サービスＩＤ毎に更新することを特徴とする。
【００２１】
また、本発明のサービスリスト構築装置における前記サービスリスト構築部は、前記受信確度が受信可否不明である周波数が受信不可能である場合、前記受信不可能である周波数を含む組を前記サービスリストから削除するまたは、前記サービスリストにおいて、前記受信不可能である周波数の受信確度を受信不可に更新することを特徴とする。
【００２２】
また、本発明のサービスリスト構築方法における前記サービスリスト構築ステップは、前記受信確度が受信可否不明である周波数が受信不可能である場合、前記受信不可能である周波数を含む組を前記サービスリストから削除するまたは、前記サービスリストにおいて前記受信不可能である周波数の受信確度を受信不可に更新することを特徴とする。
【００２３】
本発明のサービスリスト構築装置、サービスリスト構築方法によれば、受信確度が受信可否不明である周波数を選局することによりサービスリストの再構築（受信確度が受信可否不明である周波数の受信確度の更新）を行うので、視聴の可否がより明確なサービスリストを構築することができ、また、放送サービスの追加や削除が行われた場合であっても最新のサービスリストを構築することができ、ユーザーに与える不快感、不便感を軽減することが可能となる。
【００２４】
また、本発明のサービスリスト構築装置における前記サービスリスト構築部は、スタンバイ状態において、前記受信確度が受信可否不明である周波数を前記選局部に選局指示することを特徴とする。
【００２５】
また、本発明のサービスリスト構築方法における前記受信ステップは、スタンバイ状態において、前記受信確度が受信可否不明である周波数の選局指示を受けることを特徴とする。
【００２６】
本発明のサービスリスト構築装置、サービスリスト構築方法によれば、スタンバイ状態において受信確度が受信可否不明である周波数を選局することにより、ユーザーによる選局を妨げることがなく、ユーザーに与える不快感、不便感を軽減することが可能となる。
【００２７】
また、本発明のサービスリスト構築装置における前記サービスリスト構築部は、前記受信確度が受信可否不明である周波数が受信可能である場合、新たに受信した前記第一の情報と前記第二の情報とから、受信確度が受信可否不明であると新たに判定した周波数を含む組を前記サービスリストに追加することを特徴とする。
【００２８】
また、本発明のサービスリスト構築方法における前記サービスリスト構築ステップは、前記受信確度が受信可否不明である周波数が受信可能である場合、新たに受信した前記第一の情報と前記第二の情報とから、受信確度が受信可否不明であると新たに判定した周波数を含む組を前記サービスリストに追加することを特徴とする。
【００２９】
また、本発明のサービスリスト構築装置における前記サービスリスト構築部は、前記受信確度が受信可否不明であると新たに判定した周波数を含む組が前記サービスリストに既に存在する場合、前記受信確度が受信可否不明であると新たに判定した周波数を含む組を前記サービスリストに追加しないことを特徴とする。
【００３０】
また、本発明のサービスリスト構築方法における前記サービスリスト構築ステップは、前記受信確度が受信可否不明であると新たに判定した周波数を含む組が前記サービスリストに既に存在する場合、前記受信確度が受信可否不明であると新たに判定した周波数を含む組を前記サービスリストに追加しないことを特徴とする。
【００３１】
本発明のサービスリスト構築装置、サービスリスト構築方法によれば、受信確度が受信可否不明である周波数を選局することによりサービスリストの再構築（受信確度が受信可否不明であると新たに判定した周波数を含む組の追加）を行うので、視聴の可否が明確なサービスリストを徐々に拡大していくことができ、ユーザーに与える不快感、不便感を軽減することが可能となる。
【発明の効果】
【００３２】
本発明のサービスリスト構築装置、サービスリスト構築方法によれば、選局した１つの周波数で送出されるＴＳに重畳された情報に基づき、重畳された情報から得られるＴＳ識別子を有するＴＳが送出される周波数が受信可能であるかの受信確度を判定するとともに、該ＴＳ識別子を有するＴＳが送出される周波数と該周波数の受信確度を一つの組として構成するサービスリストを構築するので、短時間に、視聴の可否が明確なサービスリストを構築することができ、ユーザーに与える不快感、不便感を軽減することが可能となる。
【００３３】
また、受信確度が受信可否不明である周波数を選局することによりサービスリストの再構築（受信確度が受信可否不明である周波数の受信確度の更新）を行うので、視聴の可否がより明確なサービスリストを構築することができ、また、放送サービスの追加や削除が行われた場合であっても最新のサービスリストを構築することができ、ユーザーに与える不快感、不便感を軽減することが可能となる。
【００３４】
また、スタンバイ状態において受信確度が受信可否不明である周波数を選局することにより、ユーザーによる選局を妨げることがなく、ユーザーに与える不快感、不便感を軽減することが可能となる。
【００３５】
また、受信確度が受信可否不明である周波数を選局することによりサービスリストの再構築（受信確度が受信可否不明であると新たに判定した周波数を含む組の追加）を行うので、視聴の可否が明確なサービスリストを徐々に拡大していくことができ、ユーザーに与える不快感、不便感を軽減することが可能となる。
【図面の簡単な説明】
【００３６】
【図１】本発明の実施例に係わるデジタル放送受信機の構成を示すブロック図
【図２】本発明の実施例に係わるデジタル放送受信機の初期設定時の動作を示すフロー図
【図３】本発明の実施例に係わるデジタル放送受信機の記憶部が保持する初期スキャン時の周波数テーブルの一例を示す概略図
【図４】トランスポートストリームのデータ構成の概略図
【図５】本発明の実施例に係わるデジタル放送受信機が初期スキャン時に受信する（ａ）ＳＤＴおよび（ｂ）ＮＩＴの一例を示す概略図
【図６】本発明の実施例に係わるデジタル放送受信機が初期スキャン時に構築するサービスリストの概略図
【図７】本発明の実施例に係わるデジタル放送受信機がユーザーに表示するサービスリストの一例を示す概略図
【図８】本発明の実施例に係わるデジタル放送受信機のスタンバイ時の動作を示すフロー図
【図９】本発明の実施例に係わるデジタル放送受信機がスタンバイ時に受信するＮＩＴおよびＳＤＴの一例を示す概略図
【図１０】本発明の実施例に係わるデジタル放送受信機がスタンバイ時に更新するサービスリストの一例を示す概略図
【図１１】本発明の実施例に係わるデジタル放送受信機がユーザーに表示するサービスリストの一例を示す概略図
【図１２】本発明の実施例に係わるデジタル放送受信機の通常視聴時の動作を示すフロー図
【発明を実施するための形態】
【００３７】
以下本発明を実施するための形態について、図面を参照しながら説明する。
【実施例１】
【００３８】
図１は、本発明の実施例に係わるデジタル放送受信機の構成を示すブロック図である。デジタル放送受信機１００は、選局部１１とサービスリスト構築部１２とリモコン信号受信部１３とサービスリスト表示制御部１４と表示部１５とから構成される。
【００３９】
選局部１１は、制御部１２１からの選局指示に基づき指示された周波数で送出される放送波を選局・受信し、ＴＳ（Ｔｒａｎｓｐｏｒｔ  Ｓｔｒｅａｍ）に復調後、制御部１２１に送信する。
【００４０】
サービスリスト構築部１２は、制御部１２１と記憶部１２２とから構成される。
【００４１】
制御部１２１は、デジタル放送受信機１００の初期設定時やスタンバイ状態（待機状態、チャンネルスキャンを実施するために必要な機能ブロック、例えばチューナーなど、の電源のみを投入した状態を言う）において、記憶部１２２に記憶された初期スキャン時の周波数テーブルまたはサービスリストを読み出し、選局部１１に対して、初期スキャン時の周波数テーブルまたはサービスリストの中から適当な周波数での選局を指示し、選局指示に基づき選局部１１で選局・受信され、復調されたＴＳを受信する。同様に、制御部１２１は、ユーザーから選局要求を受けると、選局部１１に対して、選局要求された周波数での選局を指示し、選局指示に基づき、選局部１１で選局・受信され、復調されたＴＳを受信する。
【００４２】
制御部１２１は、初期設定時やスタンバイ状態、ユーザーからの選局要求時に選局指示により受信したＴＳからＳＩ（Ｓｅｒｖｉｃｅ  Ｉｎｆｏｒｍａｔｉｏｎ）情報を抽出し、抽出したＳＩ情報に含まれるＳＤＴ（Ｓｅｒｖｉｃｅ  Ｄｅｓｃｒｉｐｔｉｏｎ  Ｔａｂｌｅ）（第一の情報）およびＮＩＴ（Ｎｅｔｗｏｒｋ  Ｉｎｆｏｒｍａｔｉｏｎ  Ｔａｂｌｅ）（第二の情報）に基づき、サービスリストの構築、再構築を行い、記憶部１２２に記憶させる。
【００４３】
また、制御部１２３は、ユーザーからリモコン（図示せず）などを介してサービスリストの表示要求を受けると、記憶部１２２に記憶しているサービスリストを読み出し、サービスリスト表示制御部１４に対して、記憶部１２２から読み出したサービスリストを表示部１５に表示させる。
【００４４】
記憶部１２２は、デジタル放送受信機１００の出荷時に、初期スキャン時の周波数テーブルを記憶しているとともに、制御部１２１により構築、再構築されたサービスリストを記憶している。
【００４５】
リモコン信号受信部１３は、ユーザーによるリモコン操作（選局要求やサービスリスト表示要求など）に基づきリモコンから出力される電気信号を受信し、デジタル信号に変換した後、変換後のデジタル信号を解析し、制御部１２１に送信する。
【００４６】
サービスリスト表示制御部１４は、制御部１２１からのサービスリスト表示指示に基づき、記憶部１２２に記憶されたサービスリストを表示部１５に表示させる。
【００４７】
表示部１５は、サービスリスト表示制御部１４からのサービスリスト表示指示に基づき、記憶部１２２に記憶されたサービスリストを表示する。
【００４８】
続いて、デジタル放送受信機１００の初期設定時、スタンバイ時、通常視聴時における動作について、図２から図１２を用いて説明する。
＜初期設定時＞
まず始めに、ユーザーがデジタル放送受信機１００に初めて電源を投入した際に行われる初期設定時の動作について、図２から図７を用いて説明する。
【００４９】
図２は、本発明の実施例に係わるデジタル放送受信機１００の初期設定時の動作を示すフロー図である。
【００５０】
制御部１２１は、デジタル放送受信機１００に初めて電源が投入されると、記憶部１２２に記憶している初期スキャン時の周波数テーブルを読み出し、選局部１１に対して、初期スキャン時の周波数テーブルに記載された周波数での選局を指示する。
【００５１】
図３は、本発明の実施例に係わるデジタル放送受信機１００の記憶部１２２が保持する初期スキャン時の周波数テーブルの一例を示す概略図である。ここでは、初期スキャン時の周波数テーブルは、物理ＣＨ番号、該ＣＨ番号のＴＳが送出されている周波数、該ＴＳの変調モード（変調方式とそのシンボルレート）から構成される。
【００５２】
制御部１２１は、図３に示す初期スキャン時の周波数テーブルからＣＨ番号「１０」を選択し、選局部１１に対して、ＣＨ番号「１０」のＴＳが送出されている周波数３６９ＭＨｚでの選局を指示する（ステップＳ２０１）。
【００５３】
制御部１２１は、選局部１１がＣＨ番号「１０」のＴＳが送出されている周波数３６９ＭＨｚでＴＳを受信出来なければ、次に、選局部１１に対して、ＣＨ番号「１０２」のＴＳが送出されている周波数６１８ＭＨｚでの選局を指示する。制御部１２１は、選局部１１がＣＨ番号「１０２」のＴＳが送出されている周波数６１８ＭＨｚでＴＳを受信が出来なければ、さらに、選局部１１に対して、ＣＨ番号「１０４」のＴＳが送出されている周波数６３４ＭＨｚでの選局を指示する。
【００５４】
ここでは、選局部１１が、ＣＨ番号「１０」のＴＳが送出されている周波数３６９ＭＨｚでＴＳを受信出来たとして話を進める（ステップＳ２０１でＹｅｓ）。
【００５５】
制御部１２１は、選局部１１が選局・受信し、復調した周波数３６９ＭＨｚで送出されているＴＳを受信し、受信したＴＳからＳＩ情報を抽出し、抽出したＳＩ情報に含まれるＳＤＴおよびＮＩＴをさらに抽出する（ステップＳ２０２）。
【００５６】
図４は、ＴＳのデータ構成の概略図であり、ＳＩ情報は、ＴＳ内に放送サービス用の映像データ、音声データとともに重畳されている。ここでは周波数３６９ＭＨｚで送出されているＴＳのデータ構成の概略図を示している。
【００５７】
図５は、本発明の実施例に係わるデジタル放送受信機１００が初期スキャン時に受信する（ａ）ＳＤＴおよび（ｂ）ＮＩＴの一例を示す概略図である。
【００５８】
ＳＤＴは、ＴＳＩＤ（ＴＳ識別子）とテーブルＩＤ（選局周波数識別子）とサービスＩＤとサービスタイプとサービス名とを一つの組として構成されている。ＴＳＩＤは、所定の周波数で送出されるＴＳに割り当てられる識別子である。テーブルＩＤは、ＴＳＩＤ毎に後述するＡｃｔｕａｌ、Ｏｔｈｅｒの別を示す。サービスＩＤは、放送サービス毎にふられるＩＤで、ＴＳＩＤ毎に１以上のサービスＩＤが存在する。またサービスＩＤ毎にサービスタイプおよびサービス名が付与されている。
【００５９】
ＮＩＴは、ネットワークＩＤとネットワーク名とテーブルＩＤとＴＳＩＤと周波数と変調モードとを一つの組として構成されている。ネットワークＩＤは、ネットワーク毎に割り当てられたＩＤであり、ネットワーク名はそのネットワークＩＤを有するネットワークの名前を表している。テーブルＩＤは、ネットワークＩＤ毎に後述するＡｃｔｕａｌ、Ｏｔｈｅｒの別を示す。ＴＳＩＤは、所定のネットワークに属する所定の周波数で送出されるＴＳに割り当てられる識別子であり、ネットワークＩＤ毎に1以上存在する。ＳＤＴにおけるＴＳＩＤとＮＩＴにおけるＴＳＩＤとが同じ番号であれば、ＳＤＴ、ＮＩＴそれぞれで示されるＴＳＩＤを有するＴＳは同じものであることを意味する。周波数および変調モードは、ＴＳＩＤ毎に存在し、該ＴＳＩＤを有するＴＳが送出されている周波数、該ＴＳの変調方式およびシンボルレートである。
【００６０】
ここで、ＳＤＴにおけるテーブルＩＤであるＡｃｔｕａｌ、Ｏｔｈｅｒ、ＮＩＴにおけるテーブルＩＤであるＡｃｔｕａｌ、Ｏｔｈｅｒについて、図５を用いて説明する。
【００６１】
ＳＤＴのテーブルＩＤであるＡｃｔｕａｌは、ＴＳＩＤ「２」を有するＴＳは、図５（ａ）に示すＳＤＴを含むＳＩ情報を重畳している制御部１２１が選局指示した周波数３６９ＭＨｚで送出されていることを示しており、実際に周波数３６９ＭＨｚで送出されている。
【００６２】
一方、ＳＤＴのテーブルＩＤであるＯｔｈｅｒは、ＴＳＩＤ「２」以外のＴＳＩＤ（ＴＳＩＤ「３」および「１０」）を有するＴＳは、制御部１２１が選局指示した周波数３６９ＭＨｚ以外の周波数で送出されていることを示しているが、実際に周波数３６９ＭＨｚ以外の周波数で送出されているかどうか不明である。
【００６３】
ＮＩＴのテーブルＩＤであるＡｃｔｕａｌは、ＴＳＩＤ「２」を有するＴＳは、図５（ｂ）に示すＮＩＴを含むＳＩ情報を重畳している制御部１２１が選局指示した周波数３６９ＭＨｚで送出されており、ネットワークＩＤ「１０００」を有するネットワークに属していることを示しており、実際に周波数３６９ＭＨｚで送出されており、ネットワークＩＤ「１０００」を有するネットワークに属している。また、ＴＳＩＤ「３」を有するＴＳは、ＴＳＩＤ「２」を有するＴＳと同じネットワークに属することを示しており、実際にネットワークＩＤ「１０００」を有するネットワークに属しているが、実際に６３４ＭＨｚの周波数で送出されているかどうかは不明である。
【００６４】
一方、ＮＩＴのテーブルＩＤであるＯｔｈｅｒは、ＴＳＩＤ「１０」および「２」を有するＴＳは、それぞれ周波数５２０ＭＨｚ、３６９ＭＨｚで送出され、ネットワークＩＤ「１００１」を有するネットワークに属することを示しているが、実際にそれぞれ周波数５２０ＭＨｚ、３６９ＭＨｚで送出され、ネットワークＩＤ「１００１」を有するネットワークに属しているかは不明である。ここで、ＴＳＩＤ「２」を有するＴＳは、異なるネットワークＩＤを有するネットワーク上に存在するが、これは異なるネットワーク上で同じＴＳが送出されていることを表している。
【００６５】
制御部１２１は、ステップＳ２０２でＳＩ情報から抽出したＳＤＴのテーブルＩＤ（選局周波数識別子）から各ＴＳＩＤを有するＴＳが選局部１１により受信可能、受信可否不明のいずれであるか（受信確度）を判定する。ＳＤＴのテーブルＩＤがＡｃｔｕａｌであるＴＳＩＤ「２」を有するＴＳは、制御部１２１が選局指示した周波数３６９ＭＨｚで送出されているので、受信可能である判定する。一方、テーブルＩＤがＯｔｈｅｒであるＴＳＩＤ「３」および「１０」を有するＴＳは、周波数３６９ＭＨｚ以外の周波数で実際に送出されているかどうかは不明であるので、受信可否不明であると判定する（ステップＳ２０３）。
【００６６】
次に、制御部１２１は、ステップＳ２０２で取得したＳＤＴおよびＮＩＴと、取得したＳＤＴに基づくステップＳ２０３での受信可否判定結果とからサービスリストを構築し、記憶部１２２に記憶させる（ステップＳ２０４、ステップＳ２０５）。
【００６７】
図６は、本発明の実施例に係わるデジタル放送受信機１００が初期スキャン時に構築するサービスリストの概略図である。図６に示すサービスリストは、サービスＩＤ毎にユーザーへの表示用ＣＨ番号が付与されている以外は、ステップＳ２０２で取得したＳＤＴおよびＮＩＴと、取得したＳＤＴに基づくステップＳ２０３での受信可否判定結果とから構築されており、表示用ＣＨ番号とサービスＩＤとサービス名とサービスタイプと周波数と変調モードとネットワークＩＤとＴＳＩＤと受信確度とを一つの組として構成されている。
【００６８】
制御部１２１は、サービスリストを構築すると、構築したサービスリストのサービスＩＤから任意のＩＤを選択し、選択したサービスＩＤが送出されている周波数の選局指示を選局部１１に対して行い、通常視聴状態へと移行させる。なお、制御部１２１は、サービスリスト構築直後にサービスリスト表示制御部１４および表示部１５を介してサービスリストをユーザーに表示させ、ユーザーに選局を促す仕組みであっても良い。
【００６９】
図７は、本発明の実施例に係わるデジタル放送受信機１００がユーザーに表示するサービスリストの一例を示す概略図である。
【００７０】
ユーザーに表示するサービスリストは、ユーザーの視聴ＣＨに該当する表示用ＣＨ番号とサービス名とから構成される。制御部１２１は、ユーザーへの表示用に、記憶部１２２に記憶させた図６に示すサービスリストから、表示用ＣＨ番号とサービス名を表示するとともに、受信確度に基づき、受信可否不明であるサービスＩＤについては下線を付与し、ユーザーに対して受信可否が不明であることを視覚化している。
＜スタンバイ時＞
次に、デジタル放送受信機１００がスタンバイ状態になった際に行われる動作について、図８から図１０を用いて説明する。
【００７１】
図８は、本発明の実施例に係わるデジタル放送受信機１００のスタンバイ時の動作を示すフロー図である。
【００７２】
制御部１２１は、デジタル放送受信機１００がスタンバイ状態になると、記憶部１２２に記憶しているサービスリストを読み出し、読み出したサービスリストの中から受信確度が受信可否不明になっているＴＳＩＤを有するＴＳの有無を確認する（ステップＳ８０１）。
【００７３】
制御部１２１は、読み出したサービスリストの中に受信確度が受信可否不明になっているＴＳＩＤを有するＴＳが残存していなければ、デジタル放送受信機１００の電源をＯＦＦし、スタンバイ状態から抜ける（ステップＳ８０２）。
【００７４】
制御部１２１は、読み出したサービスリストの中に受信確度が受信可否不明になっているＴＳＩＤを有するＴＳが残存していれば、該当するＴＳＩＤを有するＴＳが送出されている周波数を選択し、選局部１１に対して選局指示を行う。図６におけるサービスリストにおいて、ＴＳＩＤ「３」および「１０」を有するＴＳが、受信確度が受信可否不明になっているＴＳＩＤを有するＴＳである。
【００７５】
制御部１２１は、まず、ＴＳＩＤ「３」を有するＴＳが送出されている周波数６３４ＭＨｚを選局部１１に選局指示する（ステップＳ８０３）。
【００７６】
制御部１２１は、選局部１１がＴＳＩＤ「３」を有するＴＳが送出されている周波数６３４ＭＨｚでＴＳを受信が出来なければ、サービスリストからＴＳＩＤ「３」を含む組を削除する（ステップＳ８０４）。制御部１２１は、次に、選局部１１に対して、ＴＳＩＤ「１０」を有するＴＳが送出されている周波数５２０ＭＨｚでの選局を指示する（ステップＳ８０３）。制御部１２１は、選局部１１がＴＳＩＤ「１０」を有するＴＳが送出されている周波数５２０ＭＨｚでＴＳを受信が出来なければ、サービスリストからＴＳＩＤ「１０」を含む組を削除する（ステップＳ８０４）。
【００７７】
ここでは、選局部１１が、ＴＳＩＤ「３」を有するＴＳが送出されている周波数６３４ＭＨｚでＴＳを受信できたとして話を進める（ステップＳ８０３でＹｅｓ）。
【００７８】
制御部１２１は、選局部１１が選局・受信し、復調した周波数６３４ＭＨｚで送出されているＴＳを受信し、受信したＴＳからＳＩ情報を抽出し、抽出したＳＩ情報に含まれるＳＤＴおよびＮＩＴをさらに抽出する（ステップＳ８０５）。
【００７９】
図９は、本発明の実施例に係わるデジタル放送受信機１００がスタンバイ時に受信する（ａ）ＳＤＴおよび（ｂ）ＮＩＴの一例を示す概略図である。
【００８０】
制御部１２１は、ステップＳ８０５でＳＩ情報から抽出したＳＤＴのテーブルＩＤ（選局周波数識別子）から各ＴＳＩＤを有するＴＳが選局部１１により受信可能、受信可否不明、受信不可のいずれであるか（受信確度）を判定する（ステップＳ８０６）。
【００８１】
ＳＤＴのテーブルＩＤがＡｃｔｕａｌであるＴＳＩＤ「３」を有するＴＳは、制御部１２１が選局指示した周波数６３４ＭＨｚで送出されているので、受信可能であると判定する。但し、ＴＳＩＤ「３」を有するＴＳにおいて、サービスＩＤ「５」を有するサービスは、スタンバイ時に受信したＳＤＴには含まれていないので、受信不可であると判定する。
【００８２】
一方、ＳＤＴのテーブルＩＤがＯｔｈｅｒであるＴＳＩＤ「４」および「１０」を有するＴＳは、周波数６３４ＭＨｚ以外の周波数で実際に送出されているかどうかは不明であるので、受信可否不明であると判定する（ステップＳ８０６）。
【００８３】
次に、制御部１２１は、ステップＳ８０５で取得したＳＤＴおよびＮＩＴと、取得したＳＤＴに基づくステップＳ８０６での受信可否判定結果とからサービスリストを再構築し、記憶部１２２に記憶させる（ステップＳ８０４、ステップＳ８０７、ステップＳ８０８）。
【００８４】
図１０は、本発明の実施例に係わるデジタル放送受信機がスタンバイ時に再構築するサービスリストの一例を示す概略図である。
【００８５】
ステップＳ８０６において受信可能であると判定されたＴＳＩＤ「３」を有するＴＳの受信確度は、受信可否不明から受信可能に更新されている（ステップＳ８０７）。但し、ＴＳＩＤ「３」を有するＴＳにおいて、受信不可であると判定されたサービスＩＤ「５」を有するサービスを含む組は、サービスリストから削除されている（ステップＳ８０４）。なお、サービスＩＤ「５」を有するサービスを含む組をサービスリストから削除するのに代えて、サービスＩＤ「５」を有するサービスを含む組の受信確度を受信不可として記憶部１２２に記憶させ、ユーザーには表示しないこととしても良い。
【００８６】
また、ステップＳ８０６において受信可否不明であると判定されたＴＳＩＤ「４」を有するＴＳを含む組が追加されている（ステップＳ８０８）。
【００８７】
なお、ステップＳ８０６において、受信可否不明であると判定したＴＳＩＤ「１０」を有するＴＳを含む組は、初期スキャン時に構築されたサービスリストとの重複を避けるため、ステップＳ８０８においてサービスリストには追加されない。
【００８８】
図１１は、本発明の実施例に係わるデジタル放送受信機１００がユーザーに表示するサービスリストの一例を示す概略図である。
【００８９】
制御部１２１は、ユーザーへの表示用に、記憶部１２２に記憶させた図１０に示すサービスリストから、表示用ＣＨ番号とサービス名を表示するとともに、受信確度に基づき、受信不可であるサービスＩＤについては表示せず、受信可否不明であるサービスＩＤについては下線を付与し、ユーザーに対して受信可否が不明であることを視覚化している。
＜通常視聴時＞
次に、ユーザーによるデジタル放送受信機１００の通常視聴時に行われる動作について、図１２を用いて説明する。
【００９０】
図１２は、本発明の実施例に係わるデジタル放送受信機１００の通常視聴時の動作を示すフロー図である。
【００９１】
スタンバイ時との違いは、ＳＩ情報を取得する対象となる周波数を、制御部１２１ではなく、ユーザーが選局する点であり、それ以外の動作はスタンバイ時と同じであるので、詳細な説明は省略する。
【００９２】
以上、本発明のデジタル放送受信機によれば、選局した１つの周波数で送出されるＴＳに重畳された情報に基づき、重畳された情報から得られるＴＳ識別子を有するＴＳが送出される周波数が受信可能であるかの受信確度を判定するとともに、該ＴＳ識別子を有するＴＳが送出される周波数と該周波数の受信確度を一つの組として構成するサービスリストを構築するので、短時間に、視聴の可否が明確なサービスリストを構築することができ、ユーザーに与える不快感、不便感を軽減することが可能となる。
【００９３】
また、受信確度が受信可否不明である周波数を選局することによりサービスリストの再構築（受信確度が受信可否不明である周波数の受信確度の更新）を行うので、視聴の可否がより明確なサービスリストを構築することができ、また、放送サービスの追加や削除が行われた場合であっても最新のサービスリストを構築することができ、ユーザーに与える不快感、不便感を軽減することが可能となる。
【００９４】
また、スタンバイ状態において受信確度が受信可否不明である周波数を選局することにより、ユーザーによる選局を妨げることがなく、ユーザーに与える不快感、不便感を軽減することが可能となる。
【００９５】
また、受信確度が受信可否不明である周波数を選局することによりサービスリストの再構築（受信確度が受信可否不明であると新たに判定した周波数を含む組の追加）を行うので、視聴の可否が明確なサービスリストを徐々に拡大していくことができ、ユーザーに与える不快感、不便感を軽減することが可能となる。
【００９６】
なお、本実施例では、デジタル放送受信機を例に説明を行ったが、これに限定されず、本発明はサービスリストを構築するその他装置、方法に適用可能である。
【産業上の利用可能性】
【００９７】
本発明のサービスリスト構築装置、サービスリスト構築方法は、選局した１つの周波数で送出されるＴＳに重畳された情報に基づき、重畳された情報から得られるＴＳ識別子を有するＴＳが送出される周波数が受信可能であるかの受信確度を判定するとともに、該ＴＳ識別子を有するＴＳが送出される周波数と該周波数の受信確度を一つの組として構成するサービスリストを構築するので、短時間に、視聴の可否が明確なサービスリストを構築することができ、ユーザーに与える不快感、不便感を軽減することが可能となるので、サービスリスト構築技術として有用である。
【符号の説明】
【００９８】
１１    選局部
１２    サービスリスト構築部
１３    リモコン信号受信部
１４    サービスリスト表示制御部
１５    表示部
１００    デジタル放送受信機
１２１    制御部
１２２    記憶部
【図１】
2011239112.tif 000003
【図２】
2011239112.tif 000004
【図３】
2011239112.tif 000005
【図４】
2011239112.tif 000006
【図５】
2011239112.tif 000007
【図６】
2011239112.tif 000008
【図７】
2011239112.tif 000009
【図８】
2011239112.tif 000010
【図９】
2011239112.tif 000011
【図１０】
2011239112.tif 000012
【図１１】
2011239112.tif 000013
【図１２】
2011239112.tif 000014